(57)【要約】【課題】ベルトライン後端部が傾斜している車両用ドアに、簡単な構成でコストを掛けずにインナウェザストリップをベルトラインに沿って見栄え良く確実に取り付けることができるインナウェザストリップの取付構造を提供する。【解決手段】ベルトラインの後端部が傾斜した車両用のドアトリムに設けられるインナウェザストリップの取付構造であって、ドアトリムは、車両用ドアのベルトラインに沿って形成された、上壁片と下壁片とを有する凹状の嵌合部と、嵌合部の下部に設けられ、基部に当接する規制板とを備え、インナウェザストリップは、基部と、ウィンドガラスに摺接するリップと、嵌合部に嵌合される挿込部とを備えている。更に、嵌合部は、インナウェザストリップの後端近傍に対応する部位に、狭幅部を備え、規制板は、インナウェザストリップの後端近傍に対応する部位に、車外側に突出した肉厚部を備えている。【選択図】図８
2015140067.tif 000002
【特許請求の範囲】
【請求項１】
ベルトラインの後端部が上方に傾斜するよう形成された車両用ドアのドアトリムに設けられて前記ドアトリムの上端縁とウィンドガラスとの間をシールするインナウェザストリップの取付構造であって、
前記ドアトリムは、前記車両用ドアのベルトラインに沿って形成された、上壁片と下壁片とを有する凹状の嵌合部と、
前記嵌合部の下部に設けられ、前記インナウェザストリップが当接する規制板と、を備え、
前記インナウェザストリップは、断面が上下方向に延びる板状に形成された基部と、前記基部の車外側に設けられてウィンドガラスに摺接するリップと、前記基部の車内側に設けられて前記嵌合部に嵌合される挿込部と、を備え、
更に、前記嵌合部は、前記インナウェザストリップの後端近傍に対応する部位に、前記上壁片と前記下壁片との間隔を狭めた狭幅部を備え、
前記規制板は、前記インナウェザストリップの後端近傍に対応する部位に、車外側に突出した肉厚部を備えた
ことを特徴とするインナウェザストリップの取付構造。
【請求項２】
前記狭幅部は、前記下壁片の上面を高くして前記上壁片と前記下壁片との間隔を、前記狭幅部以外の個所における前記上壁片と前記下壁片の間隔より狭めたことを特徴とする請求項１に記載のインナウェザストリップの取付構造。
【請求項３】
前記嵌合部は、前記ベルトラインに沿って、複数個所に設けられており、前記狭幅部は、最も後端部側に位置する前記嵌合部に設けられていることを特徴とする請求項１又は２に記載のインナウェザストリップの取付構造。
【請求項４】
前記規制板は、前記ベルトラインに沿って、複数個所に設けられており、前記肉厚部は、最も後端部側に位置する前記規制板に設けられていることを特徴とする請求項１〜３のいずれか１項に記載のインナウェザストリップの取付構造。
【請求項５】
前記規制板は、前記車両用ドアのインナパネルに前記ドアトリムを掛ける取付片を兼用していることを特徴とする請求項１〜４のいずれか１項に記載のインナウェザストリップの取付構造。
【発明の詳細な説明】
【技術分野】
【０００１】
本発明は、車両用ドアに取り付けられるインナウェザストリップの取付構造に関する。
【背景技術】
【０００２】
車両用ドアの車室側には、インナウェザストリップがドアのベルトラインに沿って設けられている。インナウェザストリップは、通常ドアトリムに取り付けられ、ドアトリムをドア本体に組み付けると、インナウェザストリップのリップがウィンドガラスに密着する。これにより、ドア本体の内部から外気や埃等が車室内に浸入するのを防止したり、上昇するウィンドガラスの表面を払拭するなど、機能的に重要な部材となっている。
【０００３】
又、インナウェザストリップは、車室側に設けられることから、見栄えの上からも重要な部材となっている。例えば、リアサイドドアにおいて、ベルトラインの後端部を上方に傾斜させた車両がある。かかる車両の場合、インナウェザストリップをドア本体のベルトラインに沿って湾曲させると、ドアトリムの上縁とインナウェザストリップとの間に隙間が生じないなど見栄えの点から好ましい。
【先行技術文献】
【特許文献】
【０００４】
【特許文献１】特開２０１０−３６７４５号公報
【特許文献２】特許第３９０８５７６号公報
【特許文献３】特開２００８−１７９２３４号公報
【発明の概要】
【発明が解決しようとする課題】
【０００５】
しかしながら、インナウェザストリップは、その多くが押し出し成形により製造されているため、基本的にまっすぐな形状を有している。したがって、ベルトラインに沿ってインナウェザストリップの後端部を上方に傾斜させると、本来の真直な形状に戻ろうとする復元力がインナウェザストリップの湾曲した部分に作用し、傾斜した部分が徐々に垂れ下がってしまうことが考えられ、見栄え上の品質低下をもたらす可能性がある。
【０００６】
一方、ベルトラインに沿わせた形にインナウェザストリップを製造した場合には、製造工程や部品管理に手間と時間がかかり、コストの上昇を招いてしまう可能性がある。
【０００７】
本発明は、ベルトライン後端部が上方に向かって傾斜している車両用ドアに、簡単な構成でコストを掛けずにインナウェザストリップをベルトラインに沿って見栄え良く確実に取り付けることができるインナウェザストリップの取付構造を提供することを目的とする。
【課題を解決するための手段】
【０００８】
本発明は、上記の課題を解決するため、ベルトラインの後端部が上方に傾斜するよう形成された車両用ドアのドアトリムに設けられて前記ドアトリムの上端縁とウィンドガラスとの間をシールするインナウェザストリップの取付構造を次のように構成した。
【０００９】
前記ドアトリムは、前記車両用ドアのベルトラインに沿って形成された、上壁片と下壁片とを有する凹状の嵌合部と、前記嵌合部の下部に設けられ、前記インナウェザストリップが当接する規制板と、を備えている。
【００１０】
前記インナウェザストリップは、断面が上下方向に延びる板状に形成された基部と、前記基部の車外側に設けられてウィンドガラスに摺接するリップと、前記基部の車内側に設けられて前記嵌合部に嵌合される挿込部と、を備えている。
【００１１】
更に、前記嵌合部は、前記インナウェザストリップの後端近傍に対応する部位に、前記上壁片と前記下壁片との間隔を狭めた狭幅部を備え、前記規制板は、前記インナウェザストリップの後端近傍に対応する部位に、車外側に突出した肉厚部を備えている。
【発明の効果】
【００１２】
本発明によれば、ベルトライン後端部が上方に向かって傾斜している車両用ドアに、簡単な構成でコストを掛けずにインナウェザストリップをベルトラインに沿って見栄え良く確実に取り付けることができる。
【図面の簡単な説明】
【００１３】
【図１】本発明にかかる一実施形態のインナウェザストリップの取付構造を備えた車両の側面図。
【図２】ドアトリムを示す正面図。
【図３】同ドアトリムを示す背面図。
【図４】インナウェザストリップ取付部を示す背面図。
【図５】ドアトリムの第４固定部を示す斜視図。
【図６】インナウェザストリップを示す正面図。
【図７】図６のインナウェザストリップをＦ７−Ｆ７線で破断した状態を示す断面図。
【図８】図１のＦ８−Ｆ８線で破断したインナウェザストリップの取付構造を示す断面図。
【図９】インナウェザストリップを組み付けた状態のインナウェザストリップ取付部を示す背面図。
【発明を実施するための形態】
【００１４】
第１実施形態のインナウェザストリップの取付構造について説明する。図１は、リアサイドドア１６のベルトラインの後端部が上方に傾斜された車両１２を側方から示す側面図である。図２は、ドアトリム２０を車両１２の車室側より見た状態を示す正面図である。図３は、ドアトリム２０を車両１２の車外側より見た状態を示す背面図である。図４は、インナウェザストリップ取付部を示す背面図である。図５は、第４固定部を示す斜視図である。図６は、自由状態に置かれた状態のインナウェザストリップ１０を示す正面図である。図７は、図６のインナウェザストリップをＦ７−Ｆ７線で破断した状態を示す断面図である。
【００１５】
以下、インナウェザストリップの取付構造について、車両１２の進行方向を前方とし、その逆方向を後方とし、それらを基準に左右を定め、又、重力の方向を下方とし、その逆を上方とし、主として車両１２の中心に向かう側を内方、あるいは内側等とし、その逆を外方、あるいは外側等として説明する。
【００１６】
図１に示すように、車両１２は、２ボックスタイプの乗用車であり、車両１２の側部の前方側にフロントサイドドア１４が、後方側にリアサイドドア１６が設けられている。リアサイドドア１６は、その上端縁２３（ベルトライン）の後端部（Ａ点から後方側）が上方に傾斜されるよう湾曲されており、リアサイドドア１６に本発明の取付構造が採用されたインナウェザストリップ１０が取り付けられている。
【００１７】
尚、本実施形態では、リアサイドドア１６は、前後方向にスライドする形式で車両１２に開閉自在に取り付けられているが、リアサイドドア１６を、ヒンジ等で回動自在に取り付けるものでもよい。
【００１８】
リアサイドドア１６は、ドア本体部１８と、ドアトリム２０（図２、３参照）と、サッシ２２と、ウィンドガラス２４とを備えている。ドア本体部１８は、ドアアウタパネル３０とドアアウタパネル３０の車室側に設けられたドアインナパネル３２（いずれも図８参照）等から構成されている。
【００１９】
ドアアウタパネル３０は、車両１２の外側に位置する外板である。ドアアウタパネル３０の内側、つまり車室側にドアインナパネル３２が取り付けられている。サッシ２２は、ドア本体部１８の上部に取り付けられている。尚、リアサイドドア１６は、サッシ２２を備えないサッシレスタイプでもよい。
【００２０】
ドアアウタパネル３０とドアインナパネル３２との間には、空間が形成されている。ドアアウタパネル３０とドアインナパネル３２との間に形成された空間内には、ドア開閉機構やそのロック機構、ウィンドガラス２４の昇降機構等が設けられている。ウィンドガラス２４は、昇降機構の作動によりリアサイドドア１６の上端縁２３に形成された開口部から昇降する。ウィンドガラス２４が上昇すると、ウィンドガラス２４はサッシ２２の内側に収納される。
【００２１】
リアサイドドア１６の上端縁２３は、ベルトラインともいい、図１に示すように、前方からほぼ水平に後方に延び、上端縁２３の後端２７の近傍のＡ点（湾曲点）で上方に湾曲し、更に斜め上後方に延びてサッシ２２の後方下端と連結している。リアサイドドア１６の車室側、つまりドアインナパネル３２の車室側には、図２に示すように、ドアトリム２０が設けられている。そして、ドアトリム２０の車外側には、ドアトリム２０の上端縁２５とウィンドガラス２４との隙間をシールするインナウェザストリップ１０が取り付けられている。
【００２２】
図２は、ドアトリム２０を、車両１２の室内側からシート等を外した状態で示している。図２に示すように、ドアトリム２０は、ドア本体部１８とほぼ等しい形状で、室内側から見たドアトリム２０の上端縁２５は、リアサイドドア１６のベルトライン(上端縁２３)に沿ってほぼ同じ形状に形成されている。
【００２３】
図３は、ドアトリム２０を、車両１２の車外側から見た状態を示す。ドアトリム２０は、ドアトリム本体部３４とインナウェザストリップ取付部３６とを備えて形成されている。ドアトリム本体部３４は、ドアインナパネル３２の外形にほぼ等しい形状を有している。ドアトリム本体部３４の上部に、インナウェザストリップ取付部３６がクリップ等により固定されている。尚、ドアトリム２０は、ドアトリム本体部３４とインナウェザストリップ取付部３６とを一体で成形してもよい。
【００２４】
インナウェザストリップ取付部３６は、図４に示すように、ほぼ長方形の形状であり、ドアトリム本体部３４の上部の前後方向より若干短い長さを有している。インナウェザストリップ取付部３６の上端縁２５(ドアトリム２０の上端縁でもある)は、Ａ点（湾曲点）で上方に湾曲して、更に後端２９まで斜め上後方に延び、前述したように、リアサイドドア１６のベルトライン、つまり上端縁２３に沿って形成されている。つまり、ドアトリム２０の上端縁２５は、リアサイドドア１６のベルトライン（上端縁２３）に沿ってＡ点（湾曲点）から後端２９までの後方領域がＡ点より前方の領域より斜め上後方に傾斜された形状とされている。
【００２５】
インナウェザストリップ取付部３６には、第１固定部４０ａ、第２固定部４０ｂと、第３固定部４０ｃと、第４固定部４０ｄの４つの固定部が、車外側に設けられている。第１固定部４０ａから第４固定部４０ｄは、いずれも基本的には近似した構成を有しており、第１固定部４０は、インナウェザストリップ取付部３６の最も前方に設けられ、その後方に、それぞれ間隔をあけて第２固定部４０ｂと、第３固定部４０ｃと、第４固定部４０ｄとが順次設けられている。
【００２６】
第１固定部４０ａと第２固定部４０ｂと第３固定部４０ｃと第４固定部４０ｄの各固定部は、それぞれ第１嵌合部４８ａと第２嵌合部４８ｂと第３嵌合部４８ｃと第４嵌合部４８ｄ、及び第１嵌合部４８ａと第２嵌合部４８ｂと第３嵌合部４８ｃと第４嵌合部４８ｄの下部にそれぞれ設けられた第１規制板５０ａと第２規制板５０ｂと第３規制板５０ｃと第４規制板５０ｄとを備えている。
【００２７】
ここで、第１固定部４０ａから第４固定部４０ｄの同じ構成を有する部分について、図５、図８に示す第４固定部４０ｄを例にして説明する。図５は、第４固定部４０ｄの構造を示す斜視図である。図８は、インナウェザストリップ１０を第４固定部４０ｄに嵌合させた状態の断面図である。第４固定部４０ｄは、これらの図に示すように、第４嵌合部４８ｄと第４嵌合部４８ｄの下部に設けられた第４規制板５０ｄとを備えている。
【００２８】
第４嵌合部４８ｄは、後述するインナウェザストリップ１０の挿込部７６が嵌合される部位であり、車外方向に突出した上壁片５２と下壁片５４とを備え、上壁片５２と下壁片５４等により車外側（ウィンドガラス２４側）に開口した、断面凹状に形成されている。上壁片５２と下壁片５４は、その間に、インナウェザストリップ１０の挿込部７６を挿し入れると、挿込部７６を適度な保持力で組み付ける間隔で設けられている。尚、かかる第４嵌合部４８ｄの上壁片５２と下壁片５４は、ドアトリム２０の上端縁２５に沿って形成されている。
【００２９】
第４規制板５０ｄは、インナウェザストリップ１０の基部７０を支持する部材であり、下壁片５４の車外側の端部から下方に延びている。第４規制板５０ｄの上縁と下縁には、それぞれ車外側に突出した突条５１、５３が設けられている。
【００３０】
又、第４規制板５０ｄ（他の規制板も含む）は、ドアトリム２０をドアインナパネル３２に取り付けるための取付片を兼用しており、第４規制板５０ｄ等をドアインナパネル３２の上端縁に掛けてドアトリム２０をリアサイドドア１６に係止させた状態で、ドアトリム２０がリアサイドドア１６に取り付けられる。
【００３１】
次に、第１固定部４０ａから第４固定部４０ｄの異なる構成の部分、特に本発明の特徴部分である第４固定部４０ｄの構成について詳しく説明する。
【００３２】
図３、図４に示すように、第１固定部４０ａと第２固定部４０ｂと第３固定部４０ｃは、いずれも上端縁２５が直線である部分、すなわちＡ点より前方の領域に設けられている。第１固定部４０ａでは、第１規制板５０ａより第１嵌合部４８ａが長く、第１嵌合部４８ａの前端４９ａは、インナウェザストリップ取付部３６の前端近傍まで延びている。第２固定部４０ｂでは、第２嵌合部４８ｂと第２規制板５０ｂが、又、第３固定部４０ｃでは、第３嵌合部４８ｃと第３規制板５０ｃが、それぞれ同じ長さに形成されている。
【００３３】
一方、第４固定部４０ｄは、上端縁２５が上方に傾斜された部分、すなわちＡ点より後方の領域に設けられている。そして、第４嵌合部４８ｄは、第４規制板５０ｄより長く、上端縁２５に沿って傾斜した状態で、後端５７ｄが、インナウェザストリップ取付部３６の後端２９の近傍まで延びている。
【００３４】
第４嵌合部４８ｄには、図５に示すように後端５７ｄの近傍に、狭幅部５６が形成されている。狭幅部５６は、第４嵌合部４８ｄの後端５７ｄから始まり、第４嵌合部４８ｄの全体の長さの１／３程度の位置まで設けられている。すなわち、インナウェザストリップ１０の上方に傾斜された後端部に対応する部分に、狭幅部５６が設けられている。尚、狭幅部５６は、第４嵌合部４８ｄの全体の長さの１／２程度の位置まで、あるいはそれ以上の位置まで設けられていてもよい。狭幅部５６の長さは、狭幅部５６がインナウェザストリップ１０の挿込部７６を保持する単位長さ当たりの保持力との関係で、必要な保持力が得られるように適宜設定する。
【００３５】
狭幅部５６は、かかる部分の下壁片５４の上面５５を、狭幅部５６以外の部分より高く形成し、その部分の上壁片５２と下壁片５４の間隔ｄ１を、下壁片５４の上面を高くした分だけ狭幅部５６以外の部分の間隔ｄ２より間隔を狭めている。狭幅部５６の間隔ｄ１は、インナウェザストリップ１０の挿込部７６が挿入可能で、かつ挿入されたインナウェザストリップ１０の後端部における挿込部７６を、狭幅部５６以外の間隔ｄ２の個所の嵌合部４８における挿込部７６の保持力より強い保持力で保持する間隔である。
【００３６】
つまり狭幅部５６でより強くインナウェザストリップ１０の後端部における挿込部７６を保持することで、インナウェザストリップ１０が湾曲された状態から元の形状に戻ろうとする復元力によって第４嵌合部４８ｄからかかる挿込部７６が抜けて外れることを抑制する。インナウェザストリップ１０を狭幅部５６に嵌合させた状態の断面を、図８に示す。
【００３７】
第４規制板５０ｄは、第４嵌合部４８ｄの下壁片５４から延び、第４嵌合部４８ｄと平行、つまり、ベルトライン(上端縁２５)に沿って傾斜して設けられている。第４規制板５０ｄの車外側の面には、図８に示すように、車外側に突出した肉厚部６２が設けられている。肉厚部６２は、肉厚部６２以外の第４規制板５０ｄの厚みの２倍程度の厚みに形成されている。
【００３８】
肉厚部６２は、前後方向には、第４規制板５０ｄの後端縁５８から始まり、第４規制板５０ｄの前後方向の中央位置より若干後方の位置まで形成されている。又、肉厚部６２は、高さ方向には、第４規制板５０ｄの下端縁から始まり、第４規制板５０ｄの高さ方向の中央位置まで形成されている。
【００３９】
各固定部４０の間、具体的には、第１固定部４０ａと第２固定部４０ｂとの間、第２固定部４０ｂと第３固定部４０ｃとの間、そして第３固定部４０ｃと第４固定部４０ｄとの間には、図４に示すように、下壁片５４に連続する案内片６０が設けられている。尚、第３固定部４０ｃと第４固定部４０ｄとの間の案内片６０は、ドアトリム２０の上端縁２５に沿って適度に湾曲されている。
【００４０】
図６、図７に、インナウェザストリップ１０を示す。図６は、自由状態にあるインナウェザストリップ１０を、車外側から見た状態を示す図である。図７は、図６のＦ７−Ｆ７線でインナウェザストリップ１０を破断して示す断面図である。
【００４１】
インナウェザストリップ１０は、断面が上下方向に延びる偏平状で、長手方向に沿って一定の幅を有する基部７０を備えている。基部７０には、ウィンドガラス２４と摺接される上リップ７２および下リップ７４と、ドアトリム２０の第１嵌合部４８ａから第４嵌合部４８ｄに嵌合される挿込部７６と、ドアトリム２０の第１規制板５０ａから第４規制板５０ｄに当接して基部７０を支持する突条７８とが設けられている。
【００４２】
インナウェザストリップ１０は、樹脂製で、例えば押し出し成形等で連続して形成されたインナウェザストリップの基材を、所定の長さに切断して形成する。インナウェザストリップ１０は、自由状態に置くと、図６に示すように、基本的に真直な状態を保持する、適度な剛性を有している。又、インナウェザストリップ１０は、上リップ７２や下リップ７４等が適宜屈曲する可撓性と、屈曲した状態の上リップ７２等が適度な反発力で復元する弾性とを備えた素材で形成されている。尚、インナウェザストリップ１０の製造方法は、かかる方法に限るものではない。
【００４３】
基部７０は、所定の長さを有し、インナウェザストリップ１０をインナウェザストリップ取付部３６に組み付けると、図９に示すように、前端８０が、第１嵌合部４８ａの前端４９ａ（図４参照）より若干前方に位置し、後端８２が、第４嵌合部４８ｄの後端５７ｄ（図４参照）より若干後方に位置する。
【００４４】
上リップ７２と下リップ７４は、いずれも断面がほぼ楕円形を有し、上下方向に所定の間隔をあけて基部７０の車外側の面７１に設けられている。図８に示すように、上リップ７２と下リップ７４は、ドアトリム２０がリアサイドドア１６に取り付けられると、車外側斜め上方を向いた状態で常にウィンドガラス２４に摺接される。尚、上リップ７２と下リップ７４は、自由状態にすると、基本的に基部７０に対して垂直より若干上を向いた状態に配置される。
【００４５】
インナウェザストリップ１０の長手方向（前後方向）両端は、図６に示すように、基部７０の上端縁９０が下端縁９２より外方に出る形で、斜めに形成されている。すなわち、インナウェザストリップ１０は、前端８０では、上端縁９０が下端縁９２より前方に突出し、後端８２では、上端縁９０が下端縁９２より後方に突出している。
【００４６】
挿込部７６は、図７に示すように、基部７０の室内側の面７３に、基部７０の室内側の面７３に対してほぼ垂直に設けられている。挿込部７６は、上面に３つの突片８４と下面に２つの突部８６とを備えている。各突片８４と突部８６は、それぞれ基部７０の長手方向に沿って、連続して設けられている。各突片８４は、挿込部７６を第１嵌合部４８ａ等に挿入したとき、第１嵌合部４８ａ等の内部に接して変形され、挿込部７６を第１嵌合部４８ａ等から引き抜く際に抵抗力を発揮する。
【００４７】
突条７８は、基部７０の室内側の面７３に設けられている。突条７８は、挿込部７６の下部に位置し、基部７０から所定の高さで突出し、基部７０の長手方向に沿って連続して設けられている。
【００４８】
本実施形態、及び特許請求の範囲でいうインナウェザストリップの取付構造とは、インナウェザストリップ１０の形状と、インナウェザストリップ取付部３６の構造とを合わせていう。
【００４９】
次に、上記実施形態であるインナウェザストリップの取付構造の作用及びその効果について説明する。インナウェザストリップ１０の組付け作業にあたり、作業者は、インナウェザストリップ１０の挿込部７６を、図３に示すドアトリム２０に設けられた第１嵌合部４８ａから第４嵌合部４８ｄに挿し入れる。挿込部７６は、第１嵌合部４８ａ等の内部で突片８４が変形して内面に密着し、第１嵌合部４８ａ等から容易に抜けない状態で嵌合される。
【００５０】
そして、第３固定部４０ｃと第４固定部４０ｄの間は、図４に示すようにベルトラインに沿って湾曲しているので、作業者は、インナウェザストリップ１０を湾曲させ、案内片６０に沿って湾曲した状態で取り付ける。これにより、図９に示すように、インナウェザストリップ１０は、ドアトリム２０に、ドアトリム２０の上端縁２５に沿って滑らかな曲線を描いて取り付けられる。
【００５１】
第４嵌合部４８ｄには、図５に示すように、狭幅部５６が設けられており、狭幅部５６の内部で突片８４がより大きく変形して内面に密着し、挿込部７６が強く第４嵌合部４８ｄに嵌合する。したがって、インナウェザストリップ１０は、後端８２の近傍が上方に傾斜するよう湾曲した状態で嵌合されていても、強い嵌合力でドアトリム２０に保持される。更に、狭幅部５６では、上面５５が高められた下壁片５４により、インナウェザストリップ１０が強く保持されるので、インナウェザストリップ１０の垂れ下がりを防止できる。
【００５２】
次に、作業者は、ドアトリム２０の第１規制板５０ａ等を、図８に示すように、ドアインナパネル３２とドアアウタパネル３０の間に挿し入れる。すると、第１規制板５０ａから第４規制板５０ｄの各規制板が、ドアインナパネル３２に掛かり、ドアトリム２０の上端縁２５がドアインナパネル３２に係合される。
【００５３】
これにより、インナウェザストリップ１０が、ドアインナパネル３２とウィンドガラス２４との間に配置され、更に、第１固定部４０ａから第４固定部４０ｄの第１規制板５０ａから第４規制板５０ｄが基部７０に接し、上リップ７２と下リップ７４がウィンドガラス２４に押し付けられる。尚、ドアインナパネル３２に係合されたドアトリム２０は、クリップ等でドアインナパネル３２に固定される。
【００５４】
更に、インナウェザストリップ１０の後端近傍において、基部７０が、図８に示すように、第４規制板５０ｄに設けられた肉厚部６２により室外側に押圧される。肉厚部６２により基部７０が押圧されるので、インナウェザストリップ１０の後端近傍に位置する上リップ７２と下リップ７４がよりウィンドガラス２４に強く押し付けられる。又、肉厚部６２は、第４規制板５０ｄの下部に設けられているので、基部７０を下方から持ち上げるように作用し、基部７０の垂れ下がり、つまり上リップ７２や下リップ７４の下降を防止し、上リップ７２をベルトラインの曲率にきれいに沿わせられる。
【００５５】
又、インナウェザストリップ１０は、肉厚部６２により下方からウィンドガラス２４に向かって押圧されるので、突条７８を支点として図８における右周りのＲ方向に付勢される。これによっても、インナウェザストリップ１０の後端近傍には、挿込部７６を第４嵌合部４８ｄ内に押し込む方向の力が作用し、第４嵌合部４８ｄからかかる個所の挿込部７６が抜け出るのを抑制している。
【００５６】
以上説明したように、インナウェザストリップ１０とインナウェザストリップ取付部３６による、本実施形態のインナウェザストリップ取付構造によれば、次の効果を奏する。
【００５７】
インナウェザストリップ１０を湾曲させた状態でも、見栄えよくドアトリム２０に取り付けられる。インナウェザストリップ１０は、第１嵌合部４８ａから第３嵌合部４８ｃに、基本的に従来と同様容易に取り付けることができるとともに、第４嵌合部４８ｄの狭幅部５６において、少し強く押圧することにより、確実にインナウェザストリップ１０を嵌合させることができる。
【００５８】
狭幅部５６で挿込部７６が強く保持されるので、インナウェザストリップ１０は、湾曲した状態を安定して保持できる。又、狭幅部５６で挿込部７６が強く保持されるので、インナウェザストリップ１０をドアトリム２０に取り付けた状態でドアトリム２０を搬送したり、保管している工程等においても、インナウェザストリップ１０がドアトリム２０から外れることがなく、ドアの組付け作業が容易になる。
【００５９】
狭幅部５６は、下壁片５４の上面５５の高さを、狭幅部５６以外の部分より高くしているので、狭幅部５６に挿込部７６を挿し入れたとき、挿込部７６は、下から持ち上げられるように支持される。したがって、狭幅部５６がないとしたときの嵌合部４８の曲率より、インナウェザストリップ１０は、上方により強く湾曲した曲率で曲げられることとなり、ベルトラインの曲率に沿ってきれいに湾曲するとともに時間の経過に伴ってインナウェザストリップ１０の位置が若干低下しても、所望の湾曲状態を長い時間保つことができる。
【００６０】
ドアトリム２０をドアインナパネル３２に取り付けると、インナウェザストリップ１０の基部７０の突条７８が第１規制板５０ａ等とドアインナパネル３２によりウィンドガラス２４側に押圧される。特に、突条７８を介して基部７０が第４規制板５０ｄ等により押圧されるので、湾曲した部分のインナウェザストリップ１０の形状をよりよく保持できる。
【００６１】
肉厚部６２は、インナウェザストリップ１０の後端近傍において、基部７０を室外側に押圧するので、かかる部分の上リップ７２等の押圧力を増加させ、しかも、インナウェザストリップ１０の後端近傍における挿込部７６の抜け出しを効果的に防止する。
【００６２】
肉厚部６２を、狭幅部５６を設けない個所に設けることにより、狭幅部５６以外の幅の広い第４嵌合部４８ｄに嵌合した挿込部７６の抜けを効果的に防止できる。又、肉厚部６２を設けることにより、挿込部７６を挿入するときに力を要する、狭幅部５６の長さを短くできる。
【００６３】
尚、本発明は、上記実施形態に限定されるものではなく、適宜変更して用いてもよい。
【産業上の利用可能性】
【００６４】
本発明は、インナウェザストリップを車両用ドアに取り付けるインナウェザストリップの取付構造に利用できる。
【符号の説明】
【００６５】
１０…インナウェザストリップ、１２…車両、１４…フロントサイドドア、１６…リアサイドドア、１８…ドア本体部、２０…ドアトリム、２２…サッシ、２３…リアサイドドアの上端縁、２４…ウィンドガラス、２５…ドアトリムの上端縁、２７…リアサイドドアの上端縁の後端、２９…後端、３０…ドアアウタパネル、３２…ドアインナパネル、３４…ドアトリム本体部、３６…インナウェザストリップ取付部、４０ａ…第１固定部、４０ｂ…第２固定部、４０ｃ…第３固定部、４０ｄ…第４固定部、４８ａ…第１嵌合部、４８ｂ…第２嵌合部、４８ｃ…第３嵌合部、４８ｄ…第４嵌合部、４９ａ…前端、４９ｄ…後端、５０ａ…第１規制板、５０ｂ…第２規制板、５０ｃ…第３規制板、５０ｄ…第４規制板、５１、５３…突条、５２…上壁片、５４…下壁片、５５…上面、５６…狭幅部、５７ｄ…後端、５８…後端縁、６０案内片、６２…肉厚部、７０…基部、７１…面、７２…上リップ、７３…面、７４…下リップ、７６…挿込部、７８…突条、８０…前端、８２…後端、８４…突片、８６…突部、９０…上端縁、９２…下端縁。
【図１】
2015140067.tif 000003
【図２】
2015140067.tif 000004
【図３】
2015140067.tif 000005
【図４】
2015140067.tif 000006
【図５】
2015140067.tif 000007
【図６】
2015140067.tif 000008
【図７】
2015140067.tif 000009
【図８】
2015140067.tif 000010
【図９】
2015140067.tif 000011